(57)【要約】【課題】ユーザーに負担を強いることなく、自動検品機能による検査に適さない紙種の印刷物を検査対象から除外できるとともに、製品印刷時に用紙の種類を変更することで検査対象から除外したいページが変わる場合に対応できる、検査装置を提供する。【解決手段】印刷ジョブに基づいて用紙に形成された画像を読み取ることで生成されたスキャン画像と、正解画像とを比較することで検査を行う検査部と、印刷ジョブの印刷設定に基づいて、各ページの画像をそれぞれ形成する用紙の種類により、検査対象のページか、検査対象外のページかを判別する判別部と、を有し、検査部は、検査対象と判別されたページの画像に対して検査を行い、検査の対象外と判別されたページの画像に対して検査を行わない。【選択図】図６
2020120160.tif 000002
【特許請求の範囲】
【請求項１】
印刷ジョブに基づいて用紙に形成された画像を読み取ることで生成されたスキャン画像と、前記画像の検査の基準となる正解画像とを比較することで前記画像の前記検査を行う検査部と、
前記印刷ジョブの印刷設定に基づいて、前記画像をそれぞれ形成する用紙の種類により、前記検査の対象とするページか、前記検査の対象外とするページかを判別する判別部と、を有し、
前記検査部は、前記判別部により前記検査の対象と判別されたページの前記画像に対して前記検査を行い、前記検査の対象外と判別されたページの前記画像に対して前記検査を行わない、検査装置。
【請求項２】
前記判別部は、前記用紙の種類として、エンボス紙に前記画像が形成されるページ、およびパンチ穴ありの用紙に前記画像が形成されるページの少なくともいずれか一方を、前記検査の対象外とするページと判別する、請求項１に記載の検査装置。
【請求項３】
前記印刷ジョブに基づいて形成される、各ページの前記画像にそれぞれ対応する前記正解画像を生成する正解画像生成部をさらに有し、
前記検査部は、前記正解画像生成部により生成された前記正解画像のうち、前記検査の対象と判別されたページの前記画像に対応する前記正解画像を記憶部に記憶させ、前記検査の対象外と判別されたページの前記画像に対応する前記正解画像を前記記憶部に記憶させないことにより、前記記憶部に記憶された前記正解画像に対応するページの前記画像に対して前記検査部による前記検査を行い、前記記憶部に記憶されていない前記正解画像に対応するページの前記画像に対して前記検査部による前記検査を行わない、請求項１または２に記載の検査装置。
【請求項４】
印刷ジョブに基づいて用紙に形成された画像を読み取ることで生成されたスキャン画像と、前記画像の検査の基準となる正解画像とを比較することで前記画像の前記検査を行う検査部と、
前記印刷ジョブに基づいて用紙に前記画像を形成する画像形成部と、
前記印刷ジョブの印刷設定に基づいて、前記画像をそれぞれ形成する用紙の種類により、前記検査の対象とするページか、前記検査の対象外とするページかを判別する判別部と、を有し、
前記検査部は、前記判別部により前記検査の対象と判別されたページの前記画像に対して前記検査を行い、前記検査の対象外と判別されたページの前記画像に対して前記検査を行わない、画像形成システム。
【請求項５】
前記判別部は、前記用紙の種類として、エンボス紙に前記画像が形成されるページ、およびパンチ穴ありの用紙に前記画像が形成されるページの少なくともいずれか一方を、前記検査の対象外とするページとして判別する、請求項４に記載の画像形成システム。
【請求項６】
前記印刷ジョブに基づいて形成される、各ページの前記画像にそれぞれ対応する前記正解画像を生成する正解画像生成部をさらに有し、
前記検査部は、前記正解画像生成部により生成された前記正解画像のうち、前記検査の対象と判別されたページの前記画像に対応する前記正解画像を記憶部に記憶させ、前記検査の対象外と判別されたページの前記画像に対応する前記正解画像を前記記憶部に記憶させないことにより、前記記憶部に記憶された前記正解画像に対応するページの前記画像に対して前記検査を行い、前記記憶部に記憶されていない前記正解画像に対応するページの前記画像に対して前記検査を行わない、請求項４または５に記載の画像形成システム。
【請求項７】
印刷ジョブに基づいて用紙に形成された画像を読み取ることで生成されたスキャン画像と、前記画像の検査の基準となる正解画像とを比較することで前記画像の前記検査を行う検査装置に実行させるためのプログラムであって、
前記印刷ジョブの印刷設定に基づいて、前記画像をそれぞれ形成する用紙の種類により、前記検査の対象とするページか、前記検査の対象外とするページかを判別する手順（ａ）と、
前記手順（ａ）において前記検査の対象と判別されたページの前記画像に対して、前記検査を行い、前記検査の対象外と判別されたページの前記画像に対して、前記検査を行わない手順（ｂ）と、
を有する処理をコンピューターに実行させるための検査プログラム。
【請求項８】
前記手順（ａ）は、前記用紙の種類として、エンボス紙に前記画像が形成されるページ、およびパンチ穴ありの用紙に前記画像が形成されるページの少なくともいずれか一方を、前記検査の対象外とするページとして判別する、請求項７に記載の検査プログラム。
【請求項９】
前記処理は、前記印刷ジョブに基づいて形成される、各ページの前記画像にそれぞれ対応する前記正解画像を生成する手順（ｃ）をさらに有し、
前記手順（ｂ）は、前記手順（ｃ）において生成された前記正解画像のうち、前記検査の対象と判別されたページの前記画像に対応する前記正解画像を記憶部に記憶させ、前記検査の対象外と判別されたページの前記画像に対応する前記正解画像を前記記憶部に記憶させないことにより、前記記憶部に記憶された前記正解画像に対応するページの前記画像に対して前記検査を行い、前記記憶部に記憶されていない前記正解画像に対応するページの前記画像に対して前記検査装置による前記検査を行わない、請求項７または８に記載の検査プログラム。
【請求項１０】
印刷ジョブに基づいて用紙に形成された画像を読み取ることで生成されたスキャン画像と、前記画像の検査の基準となる正解画像とを比較することで前記画像の前記検査を行う検査装置により行う方法であって、
前記印刷ジョブの印刷設定に基づいて、前記画像をそれぞれ形成する用紙の種類により、前記検査の対象とするページか、前記検査の対象外とするページかを判別する段階（ａ）と、
前記段階（ａ）において前記検査の対象と判別されたページの前記画像に対して、前記検査部による前記検査を行い、前記検査の対象外と判別されたページの前記画像に対して、前記検査部による前記検査を行わない段階（ｂ）と、
を有する検査方法。
【請求項１１】
前記段階（ａ）は、前記用紙の種類として、エンボス紙に前記画像が形成されるページ、およびパンチ穴ありの用紙に前記画像が形成されるページの少なくともいずれか一方を、前記検査の対象外とするページとして判別する、請求項１０に記載の検査方法。
【請求項１２】
前記検査装置は、正解画像生成部をさらに有し、
前記印刷ジョブに基づいて形成される、各ページの前記画像にそれぞれ対応する前記正解画像を前記正解画像生成部により生成する段階（ｃ）をさらに有し、
前記段階（ｂ）は、前記段階（ｃ）において生成された前記正解画像のうち、前記検査の対象と判別されたページの前記画像に対応する前記正解画像を記憶部に記憶させ、前記検査の対象外と判別されたページの前記画像に対応する前記正解画像を前記記憶部に記憶させないことにより、前記記憶部に記憶された前記正解画像に対応するページの前記画像に対して前記検査を行い、前記記憶部に記憶されていない前記正解画像に対応するページの前記画像に対して前記検査部による前記検査を行わない、請求項１０または１１に記載の検査方法。
【発明の詳細な説明】
【技術分野】
【０００１】
本発明は、検査装置、画像形成システム、検査プログラム、および検査方法に関する。
【背景技術】
【０００２】
画像形成装置は、用紙に画像を形成した後、形成された画像を読み取ることで生成されたスキャン画像を、正常な画像として検査の基準となる正解画像と比較することで、異常を生じた印刷物をヤレ紙として検出する自動検品機能を備える。自動検品機能により検出された、汚れ、スジ、ホタル、位置ずれ等の異常を生じた印刷物は、パージ機能により、良品の印刷物と区分けされることで、除外される。
【０００３】
自動検品機能に関連する先行技術として、下記特許文献１には、次の技術が開示されている。印刷物のページ間の整合性の検査において、原稿画像データに基づいて印刷された印刷物を撮像して得られた印刷画像データに含まれるコード情報と、原稿画像データとともに送信される制御信号に含まれるページ情報との間で不整合がないか否かを検査する。その際、表紙等の検査を行わないページの画像データを非検査画像データとして予め登録しておき、非検査画像データと、制御信号に含まれる情報とに基づいて、検査を行わないページかどうか判定し、検査を行わないと判定されたページを検査対象から除外する。これにより、表紙等のコード情報のないページを検査対象とすることで生じる検査異常による無駄な印刷動作の停止を回避できるとともに、表紙等の検査の必要性が少ないページの、不要な検査処理を省くことができる。
【先行技術文献】
【特許文献】
【０００４】
【特許文献１】特開２００７−２４１４１３号公報
【発明の概要】
【発明が解決しようとする課題】
【０００５】
しかし、上記先行技術は、ユーザーが予め非検査画像データを登録する必要があるため、特に非検査画像が大量に存在する場合、ユーザーの負担が比較的大きいという問題がある。また、製品印刷時に、印刷する用紙の種類を、検査に適さない用紙の種類に変更することで、検査から除外したいページが変更される場合に対応できないという問題がある。
【０００６】
本発明は、このような問題を解決するためになされたものである。すなわち、ユーザーに事前登録等の負担を強いることなく、自動検品機能による検査に適さない用紙の種類の印刷物を検査対象から除外できるとともに、製品印刷時に用紙の種類を変更することで検査対象から除外したいページが変わる場合に対応できる、検査装置、画像形成システム、検査プログラム、および検査方法を提供することを目的とする。
【課題を解決するための手段】
【０００７】
本発明の上記課題は、以下の手段によって解決される。
【０００８】
（１）印刷ジョブに基づいて用紙に形成された画像を読み取ることで生成されたスキャン画像と、前記画像の検査の基準となる正解画像とを比較することで前記画像の前記検査を行う検査部と、前記印刷ジョブの印刷設定に基づいて、前記画像をそれぞれ形成する用紙の種類により、前記検査の対象とするページか、前記検査の対象外とするページかを判別する判別部と、を有し、前記検査部は、前記判別部により前記検査の対象と判別されたページの前記画像に対して前記検査を行い、前記検査の対象外と判別されたページの前記画像に対して前記検査を行わない、検査装置。
【０００９】
（２）前記判別部は、前記用紙の種類として、エンボス紙に前記画像が形成されるページ、およびパンチ穴ありの用紙に前記画像が形成されるページの少なくともいずれか一方を、前記検査の対象外とするページと判別する、上記（１）に記載の検査装置。
【００１０】
（３）前記印刷ジョブに基づいて形成される、各ページの前記画像にそれぞれ対応する前記正解画像を生成する正解画像生成部をさらに有し、前記検査部は、前記正解画像生成部により生成された前記正解画像のうち、前記検査の対象と判別されたページの前記画像に対応する前記正解画像を記憶部に記憶させ、前記検査の対象外と判別されたページの前記画像に対応する前記正解画像を前記記憶部に記憶させないことにより、前記記憶部に記憶された前記正解画像に対応するページの前記画像に対して前記検査部による前記検査を行い、前記記憶部に記憶されていない前記正解画像に対応するページの前記画像に対して前記検査部による前記検査を行わない、上記（１）または（２）に記載の検査装置。
【００１１】
（４）印刷ジョブに基づいて用紙に形成された画像を読み取ることで生成されたスキャン画像と、前記画像の検査の基準となる正解画像とを比較することで前記画像の前記検査を行う検査部と、前記印刷ジョブに基づいて用紙に前記画像を形成する画像形成部と、前記印刷ジョブの印刷設定に基づいて、前記画像をそれぞれ形成する用紙の種類により、前記検査の対象とするページか、前記検査の対象外とするページかを判別する判別部と、を有し、前記検査部は、前記判別部により前記検査の対象と判別されたページの前記画像に対して前記検査を行い、前記検査の対象外と判別されたページの前記画像に対して前記検査を行わない、画像形成システム。
【００１２】
（５）前記判別部は、前記用紙の種類として、エンボス紙に前記画像が形成されるページ、およびパンチ穴ありの用紙に前記画像が形成されるページの少なくともいずれか一方を、前記検査の対象外とするページとして判別する、上記（４）に記載の画像形成システム。
【００１３】
（６）前記印刷ジョブに基づいて形成される、各ページの前記画像にそれぞれ対応する前記正解画像を生成する正解画像生成部をさらに有し、前記検査部は、前記正解画像生成部により生成された前記正解画像のうち、前記検査の対象と判別されたページの前記画像に対応する前記正解画像を記憶部に記憶させ、前記検査の対象外と判別されたページの前記画像に対応する前記正解画像を前記記憶部に記憶させないことにより、前記記憶部に記憶された前記正解画像に対応するページの前記画像に対して前記検査を行い、前記記憶部に記憶されていない前記正解画像に対応するページの前記画像に対して前記検査を行わない、上記（４）または（５）に記載の画像形成システム。
【００１４】
（７）印刷ジョブに基づいて用紙に形成された画像を読み取ることで生成されたスキャン画像と、前記画像の検査の基準となる正解画像とを比較することで前記画像の前記検査を行う検査装置に実行させるためのプログラムであって、前記印刷ジョブの印刷設定に基づいて、前記画像をそれぞれ形成する用紙の種類により、前記検査の対象とするページか、前記検査の対象外とするページかを判別する手順（ａ）と、前記手順（ａ）において前記検査の対象と判別されたページの前記画像に対して、前記検査を行い、前記検査の対象外と判別されたページの前記画像に対して、前記検査を行わない手順（ｂ）と、を有する処理をコンピューターに実行させるための検査プログラム。
【００１５】
（８）前記手順（ａ）は、前記用紙の種類として、エンボス紙に前記画像が形成されるページ、およびパンチ穴ありの用紙に前記画像が形成されるページの少なくともいずれか一方を、前記検査の対象外とするページとして判別する、上記（７）に記載の検査プログラム。
【００１６】
（９）前記処理は、前記印刷ジョブに基づいて形成される、各ページの前記画像にそれぞれ対応する前記正解画像を生成する手順（ｃ）をさらに有し、前記手順（ｂ）は、前記手順（ｃ）において生成された前記正解画像のうち、前記検査の対象と判別されたページの前記画像に対応する前記正解画像を記憶部に記憶させ、前記検査の対象外と判別されたページの前記画像に対応する前記正解画像を前記記憶部に記憶させないことにより、前記記憶部に記憶された前記正解画像に対応するページの前記画像に対して前記検査を行い、前記記憶部に記憶されていない前記正解画像に対応するページの前記画像に対して前記検査装置による前記検査を行わない、上記（７）または（８）に記載の検査プログラム。
【００１７】
（１０）印刷ジョブに基づいて用紙に形成された画像を読み取ることで生成されたスキャン画像と、前記画像の検査の基準となる正解画像とを比較することで前記画像の前記検査を行う検査装置により行う方法であって、前記印刷ジョブの印刷設定に基づいて、前記画像をそれぞれ形成する用紙の種類により、前記検査の対象とするページか、前記検査の対象外とするページかを判別する段階（ａ）と、前記段階（ａ）において前記検査の対象と判別されたページの前記画像に対して、前記検査部による前記検査を行い、前記検査の対象外と判別されたページの前記画像に対して、前記検査部による前記検査を行わない段階（ｂ）と、を有する検査方法。
【００１８】
（１１）前記段階（ａ）は、前記用紙の種類として、エンボス紙に前記画像が形成されるページ、およびパンチ穴ありの用紙に前記画像が形成されるページの少なくともいずれか一方を、前記検査の対象外とするページとして判別する、上記（１０）に記載の検査方法。
【００１９】
（１２）前記検査装置は、正解画像生成部をさらに有し、前記印刷ジョブに基づいて形成される、各ページの前記画像にそれぞれ対応する前記正解画像を前記正解画像生成部により生成する段階（ｃ）をさらに有し、前記段階（ｂ）は、前記段階（ｃ）において生成された前記正解画像のうち、前記検査の対象と判別されたページの前記画像に対応する前記正解画像を記憶部に記憶させ、前記検査の対象外と判別されたページの前記画像に対応する前記正解画像を前記記憶部に記憶させないことにより、前記記憶部に記憶された前記正解画像に対応するページの前記画像に対して前記検査を行い、前記記憶部に記憶されていない前記正解画像に対応するページの前記画像に対して前記検査部による前記検査を行わない、上記（１０）または（１１）に記載の検査方法。
【発明の効果】
【００２０】
印刷ジョブの印刷設定に基づいて、画像をそれぞれ形成する用紙の種類により、検査の対象外とするページを判別し、検査の対象外と判別されたページの画像を検査対象から除外する。これにより、ユーザーに事前登録等の負担を強いることなく、自動検品機能による検査に適さない用紙の種類の印刷物を検査対象から除外できるとともに、製品印刷時に用紙の種類を変更することで検査対象から除外したいページが変わる場合に対応できる。
【図面の簡単な説明】
【００２１】
【図１】画像形成システムの構成を示す概略図である。
【図２】画像形成システムの構成を示すブロック図である。
【図３】検査ジョブに基づいて検査画像が形成された印刷物を示す図である。
【図４】図３に示す、検査画像が形成された印刷物のうち、検査の対象となるページの印刷物を示す図である。
【図５】ジョブ編集操作画面を示す図である。
【図６】画像形成システムの動作を示すフローチャートである。
【発明を実施するための形態】
【００２２】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２３】
図１は、本発明の実施形態に係る画像形成システムの構成を示す概略図である。図２は、画像形成システムの構成を示すブロック図である。
【００２４】
画像形成システム１００は、画像形成装置１０１、読取装置１０２、後処理装置１０３、および給紙装置１０４を有する。画像形成装置１０１は用紙Ｓに画像形成（印刷）を行う。読取装置１０２は、用紙Ｓに形成された画像を読み取る。後処理装置１０３は画像形成された用紙を後処理する。給紙装置１０４は給紙トレイ５１と共に、収納している用紙Ｓを画像形成部４０に供給する。なお、これらの装置は、それぞれ互いに他の装置を含んで構成されてもよい。従って、例えば、画像形成装置１０１は、読取装置１０２を含んで構成され得る。画像形成システム１００は、プロダクションプリント機であり得る。読取装置１０２は、検査装置を構成する。
【００２５】
図２に示すように、画像形成システム１００は、制御部１０、記憶部２０、画像制御部３０、画像形成部４０、給紙搬送部５０、操作表示部６０、読取部７０、後処理部８０、および通信部９０を有する。これらは、各部の間で信号をやり取りするためのバスを介して相互に接続されている。
【００２６】
制御部１０は、ＣＰＵであり、プログラムに従って各部の制御や各種の演算処理を行う。制御部１０は、画像形成装置１０１が備える制御部１２と、読取装置１０２が備える制御部１１とを含み、これらが協働して画像形成システム１００全体を制御する。制御部１０の作用の詳細については後述する。制御部１１は、検査部および判別部を構成する。制御部１１は、画像制御部３０とともに正解画像生成部を構成する。
【００２７】
記憶部２０は、画像形成装置１０１が備える記憶部２２と、読取装置１０２が備える記憶部２１とを含む。記憶部２０は、各種プログラムや各種データを格納しておくＲＯＭ、作業領域として一時的にプログラムやデータを記憶するＲＡＭ、および各種プログラムや各種データを格納するハードディスク等から構成される。
【００２８】
画像制御部３０は、印刷ジョブに含まれる印刷データのレイアウト処理およびラスタライズ処理を行い、ビットマップ形式の画像のデータである画像データを生成する。印刷ジョブとは、画像形成装置１０１等に対する印刷命令の総称であり、印刷データおよび印刷設定が含まれる。印刷データとは、印刷の対象である文書のデータであり、印刷データには、例えば、イメージデータ、ベクタデータ、テキストデータといった各種データが含まれ得る。具体的には、印刷データは、ＰＤＬ（Ｐａｇｅ  Ｄｅｓｃｒｉｐｔｉｏｎ  Ｌａｎｇｕａｇｅ）データ、ＰＤＦ（Ｐｏｒｔａｂｌｅ  Ｄｏｃｕｍｅｎｔ  Ｆｏｒｍａｔ）データまたはＴＩＦＦ（Ｔａｇｇｅｄ  Ｉｍａｇｅ  Ｆｉｌｅ  Ｆｏｒｍａｔ）データであり得る。印刷設定とは、用紙への画像形成および後処理に関する設定であり、例えば、用紙の種類、カラーまたはモノクロの選択、片面印刷または両面印刷の選択、Ｎｉｎ１（ページ割付）、印刷部数、ステープル、パンチ、折り、ウォーターマーク、原稿の向き、および用紙サイズの設定が含まれる。用紙の種類およびパンチ等の印刷設定は、ページ毎に設定され得る。
【００２９】
画像形成部４０は、中間転写ベルト４１、感光体ドラム４２、現像部４３、書込部４４、および２次転写部４５を備える。
【００３０】
画像形成部４０は、以下説明するように、印刷ジョブに基づいて、用紙Ｓに画像を形成する。
【００３１】
感光体ドラム４２、現像部４３、および書込部４４は、イエロー（Ｙ）、マゼンタ（Ｍ）、シアン（Ｃ）、ブラック（Ｋ）の各基本色に対応した構成をそれぞれ備える。図１では、感光体ドラム４２、現像部４３については、符号４２（Ｙ）、４３（Ｙ）以外の符号の表記を省略している。
【００３２】
画像形成部４０の書込部４４は、画像データに基づいて、帯電された感光体ドラム４２の表面を露光し、静電潜像を形成する。現像部４３では、形成された静電潜像を現像部４３のトナーにより現像して、各感光体ドラム４２の表面に各色のトナー画像を形成する。これを各色の１次転写部（図示せず）で中間転写ベルト４１上に順次重ねてゆき、フルカラーのトナー画像を形成する。このトナー画像は、２次転写部４５で用紙Ｓ上に転写される。その後、トナー画像が形成された用紙Ｓは、定着部４６へ搬送されて、定着部４６で加熱・加圧処理することで用紙Ｓ上にフルカラーの画像を定着する。
【００３３】
給紙搬送部５０は、給紙トレイ５１、搬送路５２（５２ａ〜５２ｅ）、複数の搬送ローラー、これを駆動する駆動モーター（図示せず）、および給紙装置１０４を備える。
【００３４】
給紙搬送部５０は、駆動モーターの駆動によってそれぞれの搬送ローラーを所定のタイミングで回転させ、給紙トレイ５１または給紙装置１０４から供給される用紙Ｓを画像形成部４０へ搬送する。
【００３５】
給紙トレイ５１は、ここでは上トレイ５１ａと下トレイ５１ｂの２段の引き出し式トレイとなっていて、それぞれ個別に用紙を収納し、画像形成装置１０１へ用紙を供給する。
【００３６】
給紙装置１０４は、画像形成装置１０１内部の上トレイ５１ａおよび下トレイ５１ｂよりも多くの用紙を収納し、画像形成装置１０１へ用紙Ｓを供給する。
【００３７】
搬送路５２は、画像形成部４０内の搬送路５２ａ、５２ｄ、読取装置１０２内の搬送路５２ｂ、後処理部８０内の搬送路５２ｃ、５２ｅから構成される。
【００３８】
給紙装置１０４または給紙トレイ５１から給紙された用紙Ｓは、搬送路５２ａを搬送される。搬送路５２ａには、クラッチにより回転、停止することで用紙の搬送タイミングを調整するレジストローラー５３１が配置されている。
【００３９】
搬送路５２ａを搬送され画像形成部４０により画像形成された用紙Ｓは、下流側の搬送路５２ｂ、５２ｃを経由して、印刷ジョブの印刷設定に応じた各処理を施されたのち機外に排出され排紙トレイ５４上に載置される。
【００４０】
製品としての印刷物を出力する本印刷の印刷ジョブに基づいて、画像形成部４０により画像形成された用紙Ｓは、読取装置１０２による、自動検品機能による検査（以下、単に「検査」とも称する）が行われる。本印刷の印刷ジョブに基づいて用紙Ｓ上に形成された画像（以下、「検査画像」とも称する）は、検査の対象となる。以下、本印刷の印刷ジョブを検査ジョブとも称する。自動検品機能は、検査ジョブに基づいて画像形成された検査画像の検査の基準となる正解画像と、検査画像が読取部７０により読み取られることで生成されたスキャン画像とを比較することで、印刷物の異常を検出する機能である。異常が検出された用紙Ｓは、ヤレ紙とされ、製品としての印刷物から除外される。
【００４１】
正解画像は、検査ジョブの実行前に、プルーフ出力モードまたはサンプル出力モードで出力された用紙Ｓに形成された画像が読取部７０により読み取られることで生成され得る。なお、正解画像は、検査ジョブに含まれる印刷データと同じ印刷データが画像制御部３０でラスタライズされることで生成されてもよい。プルーフ出力モードとは、検査ジョブを実行する前に、印刷物を１部印刷し、目視検査で正常と判断された場合に、当該印刷物のスキャン画像を正解画像として記憶し、検査ジョブに対応付けて検査を行った後、検査ジョブを記憶部２０から削除（または記憶部２０に保存しない）モードであり得る。サンプル出力モードは、記憶されている検査ジョブのうちいずれかについて、印刷物を１部印刷するとともに、当該印刷物のスキャン画像を正解画像として当該検査ジョブに関連付けて検査ジョブとともに記憶するモードであり得る。以下、正解画像を生成するための印刷ジョブを「正解画像生成ジョブ」と称する。
【００４２】
検査画像が検査された結果、ヤレ紙と判断された用紙Ｓは、搬送路５２ｅを経由して、サブトレイ５５に排出される。これにより、印刷物から、ヤレ紙と判断された用紙Ｓが除外される。なお、サブトレイ５５上に排出される用紙Ｓは、ヤレ紙と判断された用紙Ｓ（印刷物）のみでなく、当該ヤレ紙を含む部に含まれるすべての用紙Ｓとし得る。画像形成された用紙Ｓが搬送路５２ｅを経由してサブトレイ５５に排出されるか、搬送路５２ｃを経由して排紙トレイ５４に排出されるかは、制御部１０によるガイド板５６の制御により選択される。
【００４３】
印刷ジョブの印刷設定が、両面印刷の設定であれば、片面（第１面、通常は表面）に画像形成された用紙Ｓを画像形成部４０の下部にあるＡＤＵ搬送路５２ｄに搬送する。このＡＤＵ搬送路５２ｄに搬送された用紙Ｓは、スイッチバック経路で表裏を反転された後、搬送路５２ａに合流し、再び画像形成部４０で用紙Ｓのもう一方の面（第２面、通常は裏面）に画像形成される。
【００４４】
操作表示部６０はタッチパネル付きディスプレイ、テンキー、スタートボタン、ストップボタン等を備えており、各種指示を入力するための入力画面および装置の状態等を表示するとともに、印刷設定等の各種設定および各種指示の入力を受け付ける。
【００４５】
読取部７０は、搬送路５２ｂ上に、この搬送路５２ｂを通過する、画像形成された用紙Ｓの画像を読み取ることで、スキャン画像を生成する。スキャン画像は、例えば、ビットマップ形式のデータであり得る。
【００４６】
読取部７０は、ラインイメージセンサー、レンズ光学系、ＬＥＤ（Ｌｉｇｈｔ  Ｅｍｉｔｔｉｎｇ  Ｄｉｏｄｅ）光源およびこれらを収納する筐体等を備え、搬送される用紙Ｓに形成された画像を読み取る。画像の読み取りは、ＬＥＤ光源からの光が、搬送路５２ｂ上の読取位置を通過する用紙Ｓの表面を照射し、読取位置の像がレンズ光学系により導かれ、ラインイメージセンサー上に結像することでなされる。
【００４７】
読取部７０は、自動検品機能により、用紙Ｓ上の検査画像を読み取ることでスキャン画像を生成する。また、読取部７０は、検査ジョブの実行前のサンプル出力モード等で印刷された印刷物を読み取ることで正解画像を生成する。
【００４８】
後処理部８０は、搬送路５２ｃに設けられている。後処理部８０では、例えば綴じ処理を行い、用紙Ｓをスタックするスタック部とステープル部を有し、複数枚の用紙Ｓをこのスタック部で重ねた後、ステープル部でステープルを用いた平綴じ処理を行う。平綴じされた用紙Ｓの束は、排紙トレイ５４に排出される。また平綴じしない用紙Ｓは、そのまま搬送路５２ｃを経由して排紙トレイ５４に排出される。
【００４９】
後処理部８０は、検査によりヤレ紙と判定されたページの検査画像が形成された印刷物を、搬送路５２ｅを経由してサブトレイ５５に排出する。
【００５０】
通信部９０には、ＳＡＴＡ、ＰＣＩ  Ｅｘｐｒｅｓ、ＵＳＢ、イーサネット（登録商標）、ＩＥＥＥ１３９４などの規格によるネットワークインターフェース、Ｂｌｕｅｔｏｏｔｈ（登録商標）、ＩＥＥＥ８０２．１１などの無線通信インターフェース、などの各種ローカル接続インターフェースが用いられる。通信部９０を通じてＰＣ等の外部の端末からの印刷データおよび印刷設定で構成される印刷ジョブが受信され得る。
【００５１】
制御部１０の作用の詳細について説明する。
【００５２】
制御部１０は、検査ジョブに基づいて、画像形成部４０により用紙Ｓに検査画像を形成し、用紙Ｓに形成された検査画像を読取部７０により読み取ることでスキャン画像を生成する。制御部１０は、生成したスキャン画像と、当該印刷ジョブに関連付けられた（紐付けられた）正解画像とを比較することで、用紙Ｓに形成された検査画像を検査する。制御部１０は、検査の結果、用紙Ｓに形成された検査画像に異常があると判断した場合は、異常があると判断した検査画像が形成された用紙Ｓをヤレ紙と判定し、サブトレイ５５へ排出する。ヤレ紙として判定される、用紙Ｓ上の検査画像の異常には、汚れ、スジ、ホタル、位置ずれ、角折れ、しわ、傾き等が含まれる。検査の結果良品とされた用紙Ｓは、製品の印刷物として排紙トレイ５４へ排出される。
【００５３】
制御部１０は、検査ジョブの印刷設定に基づいて、検査画像をそれぞれ形成する用紙Ｓの種類により、検査の対象とするページか、検査の対象外とするページかを判別する。制御部１０は、検査ジョブの実行によりエンボス紙に検査画像が形成されるページ、およびパンチ穴ありの用紙Ｓに検査画像が形成されるページの少なくともいずれか一方を、検査の対象外とするページとして判別し得る。
【００５４】
図３は、検査ジョブに基づいて検査画像が形成された印刷物を示す図である。図４は、図３に示す、検査画像が形成された印刷物のうち、検査の対象となるページの印刷物を示す図である。図３、４において示されている数字は、ページの番号を示している。図３、４の例においては、検査ジョブに基づいて画像形成される検査画像のページ数は５である。また、検査ジョブの印刷設定において、３ページ目の検査画像のみがエンボス紙に、それ以外のページの検査画像は普通紙に、それぞれ画像形成される設定がされている。
【００５５】
図３の例においては、検査ジョブによる印刷物の全てのページに検査画像が画像形成されている。
【００５６】
図４に示すように、エンボス紙に検査画像が形成された印刷物が検査の対象となる印刷物から除外されている。これは、エンボス紙に検査画像が画像形成されるページが、検査の対象外とするページとして判別されたからである。
【００５７】
エンボス紙に検査画像が形成されるページを、検査の対象外のページと判別するのは、次の理由による。エンボス紙は、用紙毎に同じ凹凸パターンを持つものであっても、エンボス紙の製造時の精度によって、凹凸が微妙に異なる場合がある。そして、これに起因して、検査画像が画像形成されたエンボス紙のスキャン画像と、正解画像との差分が基準より大きいと判定されることで、良品としてよい印刷物がヤレ紙として検出されてしまう可能性があるからである。
【００５８】
パンチ穴ありの用紙Ｓに検査画像が形成されるページを、検査の対象外とするのは、次の理由による。パンチ穴の位置が用紙Ｓに対して一定でない場合があるため、位置ずれの異常として検知され得るからである。また、用紙Ｓに対してパンチ穴の位置が一定であったとしても、検査画像の位置に対して一定でない場合があり、その場合、画像位置合せ時の比較でパンチ穴または検査画像のいずれかが位置ずれを生じているため、良品としてよい印刷物がヤレ紙として検出されてしまう可能性があるからである。さらに、パンチ穴ありの用紙Ｓの製造時に発生した紙の残留物（バリ等）が用紙Ｓに残留している場合があり、これに起因して検査画像のスキャン画像と正解画像との比較において、差異が基準を超えることで、ヤレ紙として誤検出される可能性があるからである。
【００５９】
制御部１０は、正解画像生成ジョブに基づいて、画像形成部４０により用紙Ｓに画像形成し、画像形成された用紙Ｓを読取部７０により読み取ることで、正解画像として使用するスキャン画像を生成する。生成されたスキャン画像は、ユーザーによる目視検査等により正常と判断された後、正解画像として、当該正解画像を検査に使用する検査ジョブに関連付けられるとともに、記憶部２０に記憶される。
【００６０】
制御部１０は、正解画像生成ジョブに基づいて、検査ジョブの実行により画像形成される全てのページの画像と同じ画像を、それぞれ普通紙の用紙Ｓに画像形成し、画像形成されたすべてのページの画像を読取部７０により読み取ることで正解画像を生成して、記憶部２０に記憶し得る。
【００６１】
制御部１０は、生成された正解画像のうち、検査の対象と判別されたページに対応する正解画像を記憶部２０に記憶し、検査の対象外と判別されたページに対応する正解画像を記憶部２０に記憶させないようにしてもよい。これにより、記憶部２０に記憶された正解画像に対応するページの形成画像に対して検査を行い、記憶部２０に記憶されていない正解画像に対応するページの形成画像に対して検査を行わないようにし得る。すなわち、図３、４の例においては、普通紙に画像形成されるページに対応する正解画像を記憶部２０に記憶させ、エンボス紙に画像形成されるページに対応する正解画像を記憶部２０に記憶させないようにし得る。これにより、エンボス紙に画像形成されるページに対応する正解画像は記憶部２０に記憶されていないため、エンボス紙に画像形成されたページの形成画像については、検査に必要な正解画像が存在しないことから、当該形成画像に対して検査し得ない状態にすることができる。
【００６２】
また、検査の対象外と判別されたページに対応する正解画像を記憶部２０に記憶させない場合、制御部１０は、正解画像生成ジョブの実行において、検査の対象外のページは読取部７０により読み取らなくてもよく、または、検査の対象外のページについても正解画像を生成した上で、記憶部２０に記憶させなくてもよい。上述したように、検査ジョブによりエンボス紙に画像形成されるページは、検査の対象外のページとされ得る。その場合、制御部１０は、正解画像生成ジョブにより画像形成する用紙Ｓの全てを普通紙とせずに、検査ジョブによりエンボス紙に画像形成されるページは、検査ジョブと同じエンボス紙としてもよい。
【００６３】
図５は、ジョブ編集操作画面を示す図である。ジョブ編集操作画面は、正解画像生成ジョブの生成および実行の指示、ならびに、検査ジョブの生成および実行の指示をするための操作画面である。ジョブ編集操作画面は、操作表示部６０に表示され得る。操作画面は、画像形成システム１００と通信可能な端末（図示せず）の画面に表示されてもよい。
【００６４】
正解画像生成ジョブの生成および実行の指示は次のように行い得る。正解画像の生成に用いるファイル（印刷データ）を、「ファイル名」ボタンを操作することで、ファイル名により選択する。図５においては、ファイル名として「１０５４」が選択されている。選択されたファイルの全ページ数は、ページ毎に印刷設定するための「ページ別チケット」欄６１のシート番号表示欄６２に表示されているように、「５」である。印刷設定をしようとするページは、ページ送りボタン６３の操作により選択できる。図５においては、１ページ目が選択されており、「用紙設定」欄６４において太線で囲まれているように、１ページ目の用紙Ｓの印刷設定として、用紙の種類が普通紙で、パンチ穴なしの設定がされている。
【００６５】
「出力設定」欄６５の「自動検品」ボタン６６を操作することで、「自動検品」の設定を「ＯＮ」にし、「サンプル出力」ボタンを選択すると、サンプル出力モードで正解画像を生成するための正解画像印刷ジョブが生成される。生成された正解画像印刷ジョブは、画像形成装置１０１、および読取装置１０２により実行され、正解画像が生成される。
【００６６】
検査ジョブの生成および実行の指示は次のように行い得る。検査ジョブにより画像形成するファイル（印刷データ）として、正解画像の生成に用いたファイルと同じファイルを、「ファイル名」ボタンを操作することで、ファイル名により選択する。「用紙設定」欄６４等において、ページ毎に印刷設定をする。例えば、３ページ目の印刷設定について、「用紙設定」欄６４において用紙の種類としてエンボス紙が選択されると、エンボス紙の用紙Ｓに３ページ目の画像が形成される。なお、この場合、上述したように、３ページ目はエンボス紙の用紙Ｓに画像形成されるため、３ページ目が画像形成された印刷物は、検査の対象外とされ得る。
【００６７】
「出力設定」欄６５の「自動検品」ボタン６６を操作することで、「自動検品」の設定を「ＯＮ」にすると、自動検品設定画面（図示せず）が表示される。自動検品設定画面において、検査に用いる正解画像のファイル名を入力または選択し、「ＯＫ」ボタンを選択することで、検査ジョブが生成される。その際、読取装置１０２には、検査ジョブに含まれる印刷設定が送信されることで、検査の対象とするページか検査の対象外とするページかが判別される。生成された検査ジョブに基づいて、画像形成装置１０１により用紙Ｓに画像形成され、検査の対象と判別されたページの検査画像が形成された印刷物（用紙Ｓ）に対し、読取装置１０２による検査がなされる。
【００６８】
画像形成システムの動作について説明する。
【００６９】
図６は、画像形成システムの動作を示すフローチャートである。本フローチャートは、読取装置１０２が備える制御部１１により、記憶部２１に記憶されたプログラムに従って実行され得る。なお、本フローチャートの一部は、制御部１１および画像形成装置１０１が備える制御部１２が協働することで実行されてもよい。
【００７０】
制御部１１は、検査ジョブに基づいて用紙Ｓに形成された検査画像の検査に用いる正解画像を記憶部２０から読み出す（Ｓ１０１）。
【００７１】
制御部１１は、検査の対象外とするページがあるか判断する（Ｓ１０２）。具体的には、制御部１１は、検査ジョブの印刷設定に基づいて、各ページの検査画像がそれぞれ形成される用紙Ｓの種類により、検査の対象とするページか、検査の対象外とするページかを判別する。
【００７２】
制御部１１は、検査の対象外とするページがある場合は（Ｓ１０２：ＹＥＳ）、当該ページについて、検査の対象外のページとして設定する（Ｓ１０３）。具体的には、検査の対象外とするページと判別されたページの画像データに、検査の対象外のページであることを示す内部パラメーターを対応付けて記憶部２０に記憶することで、検査の対象外のページとして設定し得る。
【００７３】
制御部１１は、画像形成部４０により検査画像が形成された用紙Ｓを、読取部７０により読み取ることでスキャン画像を生成する（Ｓ１０４）。
【００７４】
制御部１１は、スキャン画像が、検査の対象とするページの検査画像が読み取られたスキャン画像か、検査の対象外とするページの検査画像が読み取られたスキャン画像かを、各ページの検査画像毎に判断する（Ｓ１０５）。当該判断は、上述した内部パラメーターの有無を、各ページの検査画像に対応する画像データ毎に判断することでなされる。
【００７５】
制御部１１は、検査の対象外とするページと判断した場合は（Ｓ１０５：ＮＯ）、当該ページについては、ステップＳ１０６〜Ｓ１０８による検査は実行せず、ステップＳ１０９以降の処理を行う。
【００７６】
制御部１１は、検査の対象とするページと判断した場合は（Ｓ１０５：ＮＯ）、当該ページの検査画像が形成された用紙Ｓのスキャン画像と、当該ページに対応する正解画像とを比較する（Ｓ１０６）。
【００７７】
制御部１１は、スキャン画像と正解画像とを比較し、差分が基準を超えるかどうかにより、検査画像に異常があるかどうかを判断する（Ｓ１０７）。
【００７８】
制御部１１は、検査画像に異常がないと判断した場合は（Ｓ１０７：ＮＯ）、ステップＳ１０９に移行する。
【００７９】
制御部１１は、検査画像に異常があると判断した場合は（Ｓ１０７：ＹＥＳ）、画像形成装置１０１の制御部１２へ、検査ジョブのジョブＩＤを特定した異常通知を送信する（Ｓ１０８）。画像形成装置１０１の制御部１２は、後処理装置１０３に対し、異常がある検査画像が形成された印刷物（用紙Ｓ）を含む部に含まれる全ての印刷物をサブトレイ５５に排出するパージ制御をする。
【００８０】
制御部１１は、検査ジョブの全てのページの検査が終了していないと判断した場合は（Ｓ１０９：ＮＯ）、ステップＳ１０５に戻り、処理を継続する。
【００８１】
制御部１１は、検査ジョブの全てのページの検査が終了したと判断した場合は（Ｓ１０９：ＹＥＳ）、検知レポートを作成する（Ｓ１１０）。検知レポートは、通信部９０を介して、ネットワーク経由で、画像形成システム１００の外部端末等からアクセス可能に、記憶部２０に記憶され得る。検知レポートには、検査ジョブのジョブＩＤや印刷設定等の基本情報とともに、異常発生個所を線で囲む等により視認可能に特定した検査画像のスキャン画像が含まれ得る。
【００８２】
本実施形態は以下の効果を奏する。
【００８３】
印刷ジョブの印刷設定に基づいて、画像をそれぞれ形成する用紙の種類により、検査の対象外とするページを判別し、検査の対象外と判別されたページの画像を検査対象から除外する。これにより、ユーザーに事前登録等の負担を強いることなく、自動検品機能による検査に適さない用紙の種類の印刷物を検査対象から除外できるとともに、製品印刷時に用紙の種類を変更することで検査対象から除外したいページが変わる場合に対応できる。
【００８４】
さらに、エンボス紙に画像が形成されるページ、およびパンチ穴ありの用紙に画像が形成されるページの少なくともいずれか一方を、検査対象外とするページと判別する。これにより、適切な検査対象外ページの設定ができる。
【００８５】
さらに、印刷ジョブに基づいて形成される、各ページの画像にそれぞれ対応する正解画像を生成し、正解画像のうち、検査の対象と判別されたページの画像に対応する正解画像を記憶部に記憶させ、検査の対象外と判別されたページの前記画像に対応する前記正解画像を前記記憶部に記憶させない。これにより、記憶部の記憶容量の圧迫を抑止できるとともに、処理速度を高速化できる。
【００８６】
以上に説明した検査装置、画像形成システム、検査プログラム、および検査方法の構成は、上述の実施形態の特徴を説明するにあたって主要構成を説明したのであって、上述の構成に限られず、特許請求の範囲内において、種々改変することができる。また、一般的な画像形成システム等が備える構成を排除するものではない。
【００８７】
また、上述した実施形態に係る検査装置、または画像形成システムにおける各種処理を行う手段および方法は、専用のハードウエア回路、またはプログラムされたコンピューターのいずれによっても実現することが可能である。上記プログラムは、例えば、ＵＳＢメモリやＤＶＤ（Ｄｉｇｉｔａｌ  Ｖｅｒｓａｔｉｌｅ  Ｄｉｓｃ）−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、一機能としてその検出部等の装置のソフトウエアに組み込まれてもよい。
【符号の説明】
【００８８】
１０、１１、１２  制御部、
２０、２１、２２  記憶部、
３０  画像制御部、
４０  画像形成部、
５０  給紙搬送部、
６０  操作表示部、
７０  読取部、
８０  後処理部、
９０  通信部、
１００  画像形成システム、
１０１  画像形成装置、
１０２  読取装置、
１０３  後処理装置、
１０４  給紙装置。
【図１】
2020120160.tif 000003
【図２】
2020120160.tif 000004
【図３】
2020120160.tif 000005
【図４】
2020120160.tif 000006
【図５】
2020120160.tif 000007
【図６】
2020120160.tif 000008